(57)【要約】  本発明は電子通信技術分野に関し、特に電子設備に関する。音声アシスタントのエキスパンダーデバイスであり、その中において、音声情報を捕らえるサウンドキャプチャモジュールと；サウンドキャプチャモジュールに連接され、指令情報を取得するために、音声情報を処理する処理モジュールと；処理モジュールに連接され、一つの移動端末と有線または無線を介してデータ通信を実現し、移動端末に指令情報を送信するあるいは移動端末の待放送音声情報を受信するデータ通信モジュールとを含む。以上の技術案によって、家庭、車内、オフィスなど閉鎖的な空間の状況で、音声アシスタントを利用する便利さを有効に拡大し、音声アシスタントの制限を突破し、音声アシスタントをより良い体験させるようにした。【選択図】図１
2018533139.tif 000002
【特許請求の範囲】
【請求項１】
音声情報をキャプチャするサウンドキャプチャモジュールと、
前記サウンドキャプチャモジュールに連接され、指令情報を取得するために、音声情報を処理する処理モジュールと、
処理モジュールに連接され、一つの移動端末と有線または無線を介してデータ通信を実現し、移動端末に指令情報を送信するあるいは移動端末の待放送音声情報を受信するデータ通信モジュールと、
を含むことを特徴とする音声アシスタントのエキスパンダーデバイス。
【請求項２】
前記処理モジュールに連接され、前記移動端末の待放送音声情報を受信して、音声効果を高める音声を拡大するモジュールをさらに含むことを特徴とする請求項１記載の音声アシスタントのエキスパンダーデバイス。
【請求項３】
前記処理モジュールに連接され、前記移動端末に充電電力を供給する充電管理モジュールをさらに含むことを特徴とする請求項１記載の音声アシスタントのエキスパンダーデバイス。
【請求項４】
前記サウンドキャプチャモジュールにおいて、幾つかのマイクロホンを含み、３６０度で空間にある音声を捕らえるように、前記マイクロホンは設定された角度に沿って配置されることを特徴とする請求項１記載の音声アシスタントのエキスパンダーデバイス。
【請求項５】
前記処理モジュールに連接され、音源を位置決めると騒音を除去するとを実現する音源定位モジュールをさらに含むことを特徴とする請求項１記載の音声アシスタントのエキスパンダーデバイス。
【請求項６】
前記データ通信モジュールはブルートゥースモジュールあるいはＮＦＣモジュールあるいは赤外線モジュールを採用することを特徴とする請求項１記載の音声アシスタントのエキスパンダーデバイス。
【請求項７】
前記移動端末はＳｉｒｉに、あるいはｇｏｏｇｌｅ  ｎｏｗに、あるいはｃｏｒｔａｎａに基づく移動端末であることを特徴とする請求項１記載の音声アシスタントのエキスパンダーデバイス。
【請求項８】
音声情報を捕らえる工程１１と、
前記音声情報を処理して、指令情報を取得する工程１２と、
前記移動端末に前記指令情報を送信して、前記移動端末は前記指令情報によって、所定動作を実行する工程１３と、
を含む音声指令を送信する工程を含むことを特徴とする音声アシスタントのエキスパンダーデバイスの作動方式。
【請求項９】
工程１２において、前記音声情報の音源を位置決める及び騒音を除去した後、指令情報を取得することを含むことを特徴とする請求項８記載の音声アシスタントのエキスパンダーデバイスの作動方式。
【請求項１０】
前記移動端末が放送した音声が音声を拡大するモジュールによって放送される工程１４をさらに含むことを特徴とする請求項８記載の音声アシスタントのエキスパンダーデバイスの作動方式。
【発明の詳細な説明】
【技術分野】
【０００１】
本発明は電子通信技術分野に関し、特に電子設備に関する。
【背景技術】
【０００２】
音声アシスタントは音声で交信することを通じて携帯に一部分の捜索や操作を実現するまたは置き換えるアプリケーションである。こんな種類のアプリケーションにより、異なるシーンで携帯操作の便利さを大幅に高められる。現在の主なスマートフォンにはそれぞれの音声アシスタントがあり、例えば、Ａｐｐｌｅ（登録商標）のｓｉｒｉ（登録商標）、Ｇｏｏｇｌｅ（登録商標）のｇｏｏｇｌｅ  ｎｏｗ、Ｍｉｃｒｏｓｏｆｔ（登録商標）のｃｏｒｔａｎａ（登録商標）など、これらの音声アシスタントがあれば、ユーザーが携帯に指令を下すときに、スクリーンをクリックすることはなくて、直接携帯に向かって話して、携帯は音声識別技術によってユーザーの意味を理解することができ、それに、ユーザーの指令を実行することができ、特に、両手が占められている場合、大きな便利をもたらす。
【０００３】
現在の音声アシスタントは移動端末のマイクロホンを使っており、音声をピックアップできる距離が非常に短い、ユーザーは移動端末に近づけて話すだけで効果が起きるため、音声アシスタントの使えるシーンは大幅に制限された。移動端末から１メートル以上離れている場合に、正確な識別が難しい。
【発明の概要】
【０００４】
上述した技術問題を解決するため、携帯の音声アシスタントのエキスパンダーデバイスを提供して、既存の音声アシスタントにある、音声をピックアップする距離が非常に短い欠陥を解決した。
具体的な技術方案は以下通り、即ち：
音声アシスタントのエキスパンダーデバイスにおいて、
音声情報をキャプチャするサウンドキャプチャモジュールと、
前記サウンドキャプチャモジュールに連接され、指令情報を取得するために、音声情報を処理する処理モジュールと、
処理モジュールに連接され、一つの移動端末と有線または無線を介してデータ通信を実現し、移動端末に指令情報を送信するあるいは移動端末の待放送音声情報を受信するデータ通信モジュールと、を含む。
【０００５】
前記音声アシスタントのエキスパンダーデバイスにおいて、前記処理モジュールに連接され、前記移動端末の待放送音声情報を受信して、音声効果を高める音声を拡大するモジュールをさらに含む。
前記音声アシスタントのエキスパンダーデバイスにおいて、前記処理モジュールに連接され、前記移動端末に充電電力を供給する充電管理モジュールをさらに含む。
【０００６】
前記音声アシスタントのエキスパンダーデバイスにおいて、前記サウンドキャプチャモジュールにおいて、幾つかのマイクロホンを含み、３６０度で空間にある音声を捕らえるように、前記マイクロホンは設定された角度に沿って配置される。
前記音声アシスタントのエキスパンダーデバイスにおいて、前記処理モジュールに連接され、音源を位置決めると騒音を除去するとを実現する音源定位モジュールをさらに含む。
【０００７】
前記音声アシスタントのエキスパンダーデバイスにおいて、前記データ通信モジュールはブルートゥース（登録商標）モジュールあるいはＮＦＣモジュールあるいは赤外線モジュールを採用する。
前記音声アシスタントのエキスパンダーデバイスにおいて、前記移動端末はＳｉｒｉに、あるいはｇｏｏｇｌｅ  ｎｏｗに、あるいはｃｏｒｔａｎａに基づく移動端末である。
【０００８】
また、
音声情報を捕らえる工程１１と、
前記音声情報を処理して、指令情報を取得する工程１２と、
前記移動端末に前記指令情報を送信して、前記移動端末は前記指令情報によって、所定動作を実行する工程１３と、
を含む音声指令を送信する工程を含む音声アシスタントのエキスパンダーデバイスの作動方式。
【０００９】
前記音声アシスタントのエキスパンダーデバイスの作動方式において、工程１２はさらに前記音声情報の音源を位置決める及び騒音を除去した後、指令情報を取得することを含む。
前記音声アシスタントのエキスパンダーデバイスの作動方式において、前記移動端末が放送した音声が音声を拡大するモジュールによって放送される工程１４をさらに含む。
【００１０】
有益効果：以上の技術方案は家庭、車内、オフィスなど閉鎖的な空間の状況で、音声アシスタントを利用する便利さを有効に拡大し、音声アシスタントの制限を突破し、音声アシスタントをより良い体験させるようにすることができる。
【図面の簡単な説明】
【００１１】
【図１】図１は本発明の音声アシスタントのエキスパンダーデバイスの実施形態の一例のシステム構造図である。
【図２】図２は本発明の音声アシスタントのエキスパンダーデバイスの実施形態の他の一例のシステム構造図である。
【図３】図３は本発明の音声アシスタントのエキスパンダーデバイスの構造を示す図である。
【図４】図４は本発明の音声アシスタントのエキスパンダーデバイスの作動方式のフローチャートである。
【発明を実施するための形態】
【００１２】
以下図面を参照しながら、本発明の実施例をもっと十分的に説明する。だたし、図面はただ説明と記述をするためのものだけで、本発明の範囲を制限するものではない。本発明の実施例に基づいて、当業者には創造的な労働をしなく取得した実施例は全て本発明の保護範囲内に属することに意識すべきである。
【００１３】
説明すべきものは、衝突しない場合、本発明の実施例及び実施例における特徴をお互いに組み合わせることができる。
以下、図面と具体的な実施例とを参照して、本発明を詳しく説明するが、本発明に対しての限定ではない。
図１を参照すると、音声アシスタントのエキスパンダーデバイスにおいて、
音声情報をキャプチャするサウンドキャプチャモジュール５と、
上記のサウンドキャプチャモジュール５に連接され、指令情報を取得するために、音声情報を処理する処理モジュール３と、
処理モジュール３に連接され、一つの移動端末と有線または無線を介してデータ通信を実現し、移動端末に指令情報を送信するあるいは移動端末の待放送音声情報を受信するデータ通信モジュール２と、
を含む。
【００１４】
上記の音声アシスタントのエキスパンダーデバイスにおいて、処理モジュール３に連接され、移動端末に充電電力を供給する充電管理モジュール４を含む。エキスパンダーデバイスには移動端末を充電するための充電ソケットを設けてもいい。
改良した実施形態の中で、処理モジュール３に連接され、移動端末の待放送音声情報を受信して、音声効果を高める音声を拡大するモジュール６をさらに含む。
【００１５】
音声を拡大するモジュール６は移動端末から発生された音声の音量を上げることができ、比較的に遠い場所で音声アシスタントから音声フィードバックを聞こえさせることができ、自身で音源を除去する機能を持ち、音声アシスタントが話すときと音楽を放送するときに、音声指令の識別に影響しない。
【００１６】
上記のサウンドキャプチャモジュール５において、幾つかのマイクロホンを含み、３６０度で空間にある音声を捕らえる。
上記の音声アシスタントのエキスパンダーデバイスにおいて、図２を参照すると、処理モジュール３に連接され、音源を位置決めると騒音を除去するとを実現する音源定位モジュール７を含むことができる。
【００１７】
上述したマイクロホンのアレイは指向ピックアップを支持し、他方向の音声を選別し、環境中で人類の音声ではない騒音のフィルタリングを支持し、音声指令識別の正確率を高めることができ、マイクロホンのアレイにより、音源定位と騒音除去の実現は本発明の改善ポイントではないため、ここでは贅言しない。
【００１８】
上記の音声アシスタントのエキスパンダーデバイスにおいて、データ通信モジュール２はブルートゥースモジュールあるいはＮＦＣモジュールあるいは赤外線モジュールを採用する。
上記の音声アシスタントのエキスパンダーデバイスにおいて、移動端末はＳｉｒｉに、あるいはｇｏｏｇｌｅ  ｎｏｗに、あるいはｃｏｒｔａｎａに基づく移動端末である。
【００１９】
図３を参照して、エキスパンダーデバイスは固定基盤であってもいい。
以上の技術は音声アシスタントの機能を具備する移動端末に一種類の部品を提供し、当該の部品によって、もっと遠い距離からの音声をピックアップすることができ、それに、環境における騒音除去と指向ピックアップとのを支持し、ユーザーに１０メートル以上の範囲内で音声アシスタントの機能を使用させることができる。
【００２０】
また、
音声情報を捕らえる工程１１と、
上記の音声情報を処理して、指令情報を取得する工程１２と、
上記の移動端末に上記の指令情報を送信して、上記の移動端末は上記の指令情報によって、所定動作を実行する工程１３と、
を含む音声指令を送信する工程を含む音声アシスタントのエキスパンダーデバイスの作動方式を提供する。
【００２１】
上記の音声アシスタントのエキスパンダーデバイスの作動方式において、工程１２はさらに上記の音声情報の音源を位置決める及び騒音を除去した後、指令情報を取得することを含む。
上記の音声アシスタントのエキスパンダーデバイスの作動方式において、上記の移動端末が放送した音声が音声を拡大するモジュールによって放送される工程１４をさらに含む。
上述した操作は音楽を放送すること、電話をかけること、天気を照会すること、アラームを設定すること、家電機器を制御することなどであってもいい。
【００２２】
具体的な実施例中で、当該のエキスパンダーデバイスを利用して、Ａｐｐｌｅ電話をかける場合、ユーザーは“ｈｉ、ｓｉｒｉ  ｘｘｘに電話をかけなさい”という音声指令を下して、マイクロホンアレイの原因で、当該の音声は正確的識別され、Ａｐｐｌｅ携帯に伝送されることができ、これで、Ａｐｐｌｅ携帯中の音声アシスタントｓｉｒｉによってｘｘｘに電話が通じ、通話中に、マイクロホンアレイとエキスパンダーデバイスがあるため、とても遠い距離でも、通話の明瞭度が保証される。
【００２３】
移動端末をエキスパンダーデバイスに置き、充電してもいい、また音声指令により音声アシスタントにある他の機能を使用してもいい、例えば、音楽を聴くこと、電話をかけること、リマインダーを設定すること、天気を照会すること、アラームを設定すること、問い合わせること、メールを送信すること、株式を照会すること、家電機器を制御することなど、全て携帯を持ち上げる必要がない、部屋のどこでも、音声によって音声アシスタントを活性化することができ、即座で使用可能、音声アシスタントの機能がますます強くなるにつれて、本発明の使用体験もますますより良くなる。
本発明は家庭、車内、オフィスなど閉鎖的な空間の状況で、音声アシスタントを利用する便利さを有効に拡大し、音声アシスタントの制限を突破し、音声アシスタントをより良い体験させるようにすることができる。
【００２４】
以上述べたのはただ本発明の好ましい実施例だけで、本発明の実施形態や保護範囲を制限するものではない。当業者に対して、本発明の明細書及び図面の内容を使って、等しい置換や変更によって作り出された方案は全て本発明の保護範囲内に含まれることに意識すべきである。
【図１】
2018533139.tif 000003
【図２】
2018533139.tif 000004
【図３】
2018533139.tif 000005
【図４】
2018533139.tif 000006
【国際調査報告】
2018533139.tif 000007
2018533139.tif 000008
2018533139.tif 000009
2018533139.tif 000010